(57)【要約】【課題】媒体を反転させる為のスイッチバック経路及び湾曲反転経路を備えた媒体搬送装置或いは記録装置において、装置のより一層の小型化を図る。【解決手段】インクジェットプリンター１は、装置底部から上方に向かって順に、用紙給送部２、用紙反転待機部３、記録部４、フェイスダウン排出部５、のこれらが重畳されて構成されている。記録部４からスイッチバックトレイ３２へ至る搬送経路には、第１方向反転部３０と第２方向反転部３１とが設けられている。装置高さ方向における、第２の方向反転部３２の搬送経路最上部が、第１方向反転部３０の中心位置以上に位置する様に構成されている。【選択図】図１
2014152028.tif 000002
【特許請求の範囲】
【請求項１】
媒体に記録を行う記録ヘッドと、
前記記録ヘッドに対向する領域を含む、前記媒体を搬送する第１搬送部と、
前記媒体を前記第１搬送部から折り返すように反転させる第１方向反転部と、
前記第１搬送部の下方に位置し、前記第１方向反転部により折り返された前記媒体を搬送する第２搬送部と、
前記媒体を前記第２搬送部から折り返すように反転させる第２方向反転部と、を備え、
前記第２方向反転部の搬送経路最上部が、前記第１方向反転部の中心位置以上に位置する、
ことを特徴とする記録装置。
【請求項２】
請求項１に記載の記録装置において、前記第２搬送部の下方に位置し、前記第２方向反転部により折り返された前記媒体を搬送する第３搬送部を備える、
ことを特徴とする記録装置。
【請求項３】
請求項２に記載の記録装置において、前記第３搬送部は、前記第１方向反転部の搬送経路最下部より上方に位置する、
ことを特徴とする記録装置。
【請求項４】
請求項２に記載の記録装置において、前記第３搬送部は、一部が前記第１方向反転部の搬送経路最下部より上方に位置し、他の一部が前記第１方向反転部の搬送経路最下部より下方に位置する、
ことを特徴とする記録装置。
【請求項５】
請求項２から４のいずれか一項に記載の記録装置において、前記第３搬送部の搬送経路長は、使用が想定される最大サイズの媒体長さより長い、
ことを特徴とする記録装置。
【請求項６】
請求項２から５のいずれか一項に記載の記録装置において、前記第３搬送部は、媒体搬送経路を側視した際に前記第１方向反転部における湾曲の開始位置と終了位置とを結ぶ線の延長線と交差する、
ことを特徴とする記録装置。
【請求項７】
請求項２から６のいずれか一項に記載の記録装置において、前記媒体を収容する媒体収容部を備え、
前記媒体収容部から前記第１搬送部に至る媒体の搬送経路に、前記第３搬送部から搬送される媒体の搬送経路が合流する、
ことを特徴とする記録装置。
【請求項８】
請求項７に記載の記録装置において、前記媒体収容部は、前記第３搬送部の下方に位置する、
ことを特徴とする記録装置。
【請求項９】
請求項１から８のいずれか一項に記載の記録装置において、前記第１方向反転部は、一のローラーの外周面により構成されている、
ことを特徴とする記録装置。
【請求項１０】
請求項１から９のいずれか一項に記載の記録装置において、前記第１方向反転部における湾曲した媒体搬送経路の外側に配置されるローラーと、前記第２搬送部における媒体搬送経路の下側に配置されるローラーと、前記第２方向反転部における湾曲した媒体搬送経路の内側に配置されるローラーと、のこれらが、媒体と点接触する拍車により構成されている、
ことを特徴とする記録装置。
【請求項１１】
請求項１から１０のいずれか一項に記載の記録装置において、前記第１搬送部は回転体を備え、
前記第２方向反転部は、搬送経路上部に、媒体を搬送する搬送ローラーを備え、
前記回転体と前記搬送ローラーは、装置高さ方向において重ならない位置に設けられている、
ことを特徴とする記録装置。
【発明の詳細な説明】
【技術分野】
【０００１】
本発明は、媒体に記録を行う記録装置に関する。
【背景技術】
【０００２】
ファクシミリやプリンター等に代表される記録装置、特に媒体の両面に記録を可能な記録装置においては、媒体を反転させる為の媒体搬送経路が必要となる。媒体を反転させる為の媒体搬送経路の形態には種々のものがあるが、例えば媒体を湾曲反転させる経路と、媒体をスイッチバックさせる経路とを組み合わせて構成される場合がある。
【０００３】
特許文献１には、そのような湾曲反転経路及びスイッチバック搬送路を備えた画像形成装置が開示されている。特許文献１記載の画像形成装置は、装置本体に、画像形成部と、給紙部と、スイッチバック搬送路を備えた両面ユニットと、のこれら機能部分が重畳する様に配置されている。
【先行技術文献】
【特許文献】
【０００４】
【特許文献１】特開２００６−２２５０６１号公報
【発明の概要】
【発明が解決しようとする課題】
【０００５】
特許文献１記載の画像形成装置のように、各機能部分を高さ方向に重畳する様に配置し、そして各機能部分の間で媒体を湾曲させて搬送する構成にあっては、装置の高さ方向寸法が大きくなり易い。また、各機能部分から抜け出た媒体を反転させるスペースが必要となる為、水平方向寸法についても大きくなり易い傾向がある。
【０００６】
そこで本発明はこの様な状況に鑑みなされたものであり、その目的は、媒体を反転させる為のスイッチバック経路及び湾曲反転経路を備えた媒体搬送装置或いは記録装置において、装置のより一層の小型化を図ることにある。
【課題を解決するための手段】
【０００７】
上記課題を解決する為の、本発明の第１の態様に係る記録装置は、媒体に記録を行う記録ヘッドと、前記記録ヘッドに対向する領域を含む、前記媒体を搬送する第１搬送部と、前記媒体を前記第１搬送部から折り返すように反転させる第１方向反転部と、前記第１搬送部の下方に位置し、前記第１方向反転部により折り返された前記媒体を搬送する第２搬送部と、前記媒体を前記第２搬送部から折り返すように反転させる第２方向反転部と、を備え、前記第２方向反転部の搬送経路最上部が、前記第１方向反転部の中心位置以上に位置することを特徴とする。
【０００８】
本態様によれば、媒体搬送装置は第１方向反転部と第２方向反転部とを備えているが、第２方向反転部の搬送経路最上部が、第１方向反転部の中心位置以上に位置しており、即ち第１方向反転部と第２方向反転部とが装置高さ方向において大きくオーバーラップしているので、装置高さ方向寸法を抑えてより小型化された装置を提供することが可能となる。
【０００９】
本発明の第２の態様は、第１の態様において、前記第２搬送部の下方に位置し、前記第２方向反転部により折り返された前記媒体を搬送する第３搬送部を備えることを特徴とする。  
本態様によれば、前記第２方向反転部により折り返された前記媒体を搬送する第３搬送部を備える構成において、装置高さ方向の寸法を抑えることができる。
【００１０】
本発明の第３の態様は、第２の態様において、前記第３搬送部は、前記第１方向反転部の搬送経路最下部より上方に位置することを特徴とする。  
本態様によれば、前記第３搬送部は、前記第１方向反転部の搬送経路最下部より上方に位置するので、前記第１方向反転部と前記第３搬送部とが装置高さ方向においてオーバーラップすることで装置高さ方向寸法をより抑えることができる。
【００１１】
本発明の第４の態様は、第２の態様において、前記第３搬送部は、一部が前記第１方向反転部の搬送経路最下部より上方に位置し、他の一部が前記第１方向反転部の搬送経路最下部より下方に位置することを特徴とする。
【００１２】
本態様によれば、前記第３搬送部は、一部が前記第１方向反転部の搬送経路最下部より上方に位置し、他の一部が前記第１方向反転部の搬送経路最下部より下方に位置するので、前記第１方向反転部の搬送経路最下部より上方に位置する部分は装置高さ方向寸法を節約できる為、当該節約した領域に他の構成要素をレイアウトすることができる。そして、他の部分が第１方向反転部の搬送経路最下部より下方に位置するので、搬送経路長を確保することができ、長さの長い媒体に対応することができる。
【００１３】
本発明の第５の態様は、第２から第４の態様のいずれかにおいて、前記第３搬送部の搬送経路長は、使用が想定される最大サイズの媒体長さより長いことを特徴とする。
【００１４】
本発明の第６の態様は、第２から第５の態様のいずれかにおいて、前記第３搬送部は、媒体搬送経路を側視した際に前記第１方向反転部における湾曲の開始位置と終了位置とを結ぶ線の延長線と交差することを特徴とする。
【００１５】
本態様によれば、前記第２方向反転部の下方に位置する第３搬送部は、媒体搬送経路を側視した際に前記第１方向反転部における湾曲の開始位置と終了位置とを結ぶ線の延長線と交差する。即ち、第３搬送部は水平方向において前記第１方向反転部と充分にオーバーラップするので、装置の水平方向寸法を抑えてより小型化された装置を提供することが可能となる。
【００１６】
本発明の第７の態様は、第２から第６の態様のいずれかにおいて、前記媒体を収容する媒体収容部を備え、前記媒体収容部から前記第１搬送部に至る媒体の搬送経路に、前記第３搬送部から搬送される媒体の搬送経路が合流することを特徴とする。
【００１７】
本態様によれば、前記媒体を収容する媒体収容部を備え、前記媒体収容部から前記第１搬送部に至る媒体の搬送経路に、前記第３搬送部から搬送される媒体の搬送経路が合流するので、搬送経路の共用によって装置の大型化を抑制できる。
【００１８】
本発明の第８の態様は、第７の態様において、前記媒体収容部は、前記第３搬送部の下方に位置することを特徴とする。本態様によれば、前記媒体収容部は、前記第３搬送部の下方に位置するので、装置の水平方向寸法を抑制できる。
【００１９】
本発明の第９の態様は、第１から第８の態様のいずれかにおいて、前記第１方向反転部は、一のローラーの外周面により構成されていることを特徴とする。  
本態様によれば、前記第１方向反転部は、一のローラーの外周面により構成されているので、媒体を湾曲反転させる湾曲反転経路を構造簡単にして低コストに構成することができる。
【００２０】
本発明の第１０の態様は、第１から第９の態様のいずれかにおいて、前記第１方向反転部における湾曲した媒体搬送経路の外側に配置されるローラーと、前記第２搬送部における媒体搬送経路の下側に配置されるローラーと、前記第２方向反転部における湾曲した媒体搬送経路の内側に配置されるローラーと、のこれらが、媒体と点接触する拍車により構成されていることを特徴とする。
【００２１】
本態様によれば、前記第１方向反転部における媒体搬送経路の外側（湾曲経路の外側）、前記第２搬送部における媒体搬送経路の下側、前記第２方向反転部における媒体搬送経路の内側（湾曲経路の内側）、のこれらに配置されるローラーが、媒体と点接触する拍車により構成されている。従って、例えばインクジェット記録装置において媒体の記録面を前記拍車と接する側に設定すれば、インクの転着などの、記録面に生じる不具合発生の虞を低くすることができる。
【００２２】
本発明の第１１の態様は、第１から第１０の態様のいずれかにおいて、前記第１搬送部は回転体を備え、前記第２方向反転部は、搬送経路上部に、媒体を搬送する搬送ローラーを備え、前記回転体と前記搬送ローラーは、装置高さ方向において重ならない位置に設けられていることを特徴とする。
【図面の簡単な説明】
【００２３】
【図１】本発明に係るインクジェットプリンターの用紙搬送経路を示す側断面図。
【図２】用紙排出経路を後方排出に設定した状態を示す、用紙搬送経路の側断面図。
【図３】用紙排出経路を上方排出に設定した状態を示す、用紙搬送経路の側断面図。
【図４】用紙搬送経路を両面記録経路（スイッチバック経路）に設定した状態を示す、用紙搬送経路の側断面図。
【図５】用紙搬送経路の他の実施形態を示す、用紙搬送経路の側断面図。
【図６】用紙搬送経路の他の実施形態を示す、用紙搬送経路の側断面図。
【発明を実施するための形態】
【００２４】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２５】
図１は本発明の記録装置の一実施形態であるインクジェットプリンター１の、用紙搬送経路を示す側面図、図２は用紙排出経路を後方排出に設定した状態を示す、用紙搬送経路の側断面図、図３は用紙排出経路を上方排出に設定した状態を示す、用紙搬送経路の側断面図、図４は用紙搬送経路を両面記録経路（スイッチバック経路）に設定した状態を示す、用紙搬送経路の側断面図である。また、図５及び図６は、用紙搬送経路の他の実施形態を示す、用紙搬送経路の側断面図である。尚、各図においてはインクジェットプリンター１の構成要素を適宜簡略化して描いている。
【００２６】
また、各図に示すｘ−ｙ−ｚ座標系は、ｘ方向及びｙ方向が水平方向であり、このうちｘ方向は用紙幅方向（装置左右方向）であり、ｙ方向は装置奥行き方向である。また、ｚ方向は重力方向（装置高さ方向）である。以下、ｙ（＋）方向（図１〜図４において左方向）を第１の方向と言い、ｙ（−）方向（図１〜図４において右方向）を第２の方向と言う場合があるものとする。
【００２７】
インクジェットプリンター１は、装置の周囲を構成する側面のうち図１における右側の側面（符号１ａ）を装置前方の正面（第１面）とし、図１における左側の側面（符号１ｂ）を装置後方の背面（第２面）とする。
【００２８】
インクジェットプリンター１は、装置底部から上方に向かって順に、用紙給送部２、用紙反転待機部３、記録部４、用紙排出部５、のこれらが重畳されて構成されている。尚、図１において用紙排出部５の構成は図示を省略している。
【００２９】
用紙給送部２は装置本体に対して着脱可能な用紙カセット７を備えている。用紙カセット７には昇降板８が軸８ａを中心に揺動可能に設けられており、昇降板８の揺動により、用紙カセット７に収容された記録用紙が、図示しないモーターにより回転駆動される給送ローラー９に接離することが可能となっている。
【００３０】
給送ローラー９により用紙カセット７から送り出された記録用紙は、送りローラー対１０によって上方へ送られ、更に送りローラー対１１から搬送力を受けて記録部４へと送られる。
【００３１】
記録用紙は、更に送りローラー対１２から搬送力を受け、ベルト搬送部６へと送られる。ベルト搬送部６は、図示しないモーターにより回転駆動されるベルトプーリー３４、３５と、このベルトプーリー３４、３５に係回される搬送ベルト３６と、図示しない用紙吸引手段と、を備えて構成されている。
【００３２】
記録用紙は図示しない用紙吸引手段により搬送ベルト３６により吸着された状態で、装置の第１面１ａ側から第２面１ｂ側へ、即ち第１の方向へ搬送される。搬送ベルト３６の直上にはインクジェット記録ヘッド部３７が設けられており、このインクジェット記録ヘッド部３７からインクが記録用紙に対して吐出されることにより、記録が実行される。  
尚、符号４５は、インクジェット記録ヘッド部３７と対向する領域を含む、記録用紙を搬送する第１搬送部である。第１搬送部４５は、上述したベルト搬送部６を備えて構成される。
【００３３】
インクジェット記録ヘッド部３７により記録の行われた記録用紙は、ベルト搬送部６の下流に設けられた送りローラー対１２から搬送力を受け、第１排出路、第２排出路、両面記録経路（スイッチバック経路）、のいずれかに、選択的に送られる。
【００３４】
第１排出路は記録の行われた記録用紙を装置後方に排出する排出経路であり、図２の様に構成される。送りローラー対１２の下流には第１経路切換部材２７と第２経路切換部材２８とが設けられている。これら経路切換部材は揺動可能に設けられており、揺動することにより、用紙搬送経路を切り換える。
【００３５】
図２に示す、第１排出路が形成された状態は、第１経路切換部材２７および第２経路切換部材２８が略水平姿勢とされる。これにより、送りローラー対１２から送り力を受ける記録用紙は、矢印Ｂ１で示す様にほぼストレートに搬送され、装置後方側に向けて記録面を上にした状態で排出される。
【００３６】
図３に示す第２排出路は記録の行われた記録用紙を装置上方で排出する排出経路である。第２排出路が形成された状態は、第１経路切換部材２７の経路下流側（図面左側）が上を向く、斜め上向き姿勢とされる。これにより、送りローラー対１２から送り力を受ける記録用紙は、矢印Ｂ２で示す様に上方の第２排出路へと誘導される。尚、第２排出路において記録用紙の記録面と接する側のローラー（符号２４）は、全て記録用紙と点接触する拍車により構成されている。
【００３７】
図４に示す、両面記録経路が形成された状態は、第１経路切換部材２７が略水平姿勢とされ、且つ第２経路切換部材２８の経路上流側（図面右側）が上を向く、斜め上向き姿勢とされる。これにより、送りローラー対１２から送り力を受ける記録用紙は、その先端が第２経路切換部材２８に当接し、そして矢印Ｂ３で示す様に下向きに湾曲させられ、第１方向反転部３０へと導かれる。
【００３８】
第１方向反転部３０は、湾曲反転経路の内側を形成するとともに、図示しないモーターにより回転駆動（図４において反時計回り方向）される反転ローラー２９と、湾曲反転経路の外側を形成する経路形成部材３９と、を備えて構成されている。
【００３９】
第１方向反転部３０によって記録用紙は第１搬送部４５から折り返す様に反転させられ、即ち搬送の向きを変えられ、経路形成部材４０、４１によって形成された第２搬送部４６を、第２の方向（図において右方向）に沿って進み、第２方向反転部３１に到達する。尚、符号１４、１５、１６、１７は、送りローラー対である。この中で「搬送ローラー」としての送りローラー対１７は、本実施形態においては「回転体」としてのベルトプーリー３４と、装置高さ方向において重ならない位置に設けられている。
【００４０】
第２方向反転部３１は、湾曲反転経路の外側が経路形成部材４２により形成され、第２の方向に沿って進んできた記録用紙を再び下向きに湾曲させ、反転させて、送りローラー対１８、１９により搬送力を付与して記録用紙を第１の方向（矢印Ｂ４方向）に搬送する。即ち第２方向反転部３１は、記録用紙を第２搬送部４６から折り返す様に反転させて、第２搬送部４６の下方に位置する第３搬送部４７へと記録用紙を送る。
【００４１】
符号３２は第３搬送部４７（スイッチバック経路）を形成するスイッチバックトレイであり、記録用紙は一旦このスイッチバックトレイ３２上に排出される（但し、送りローラー対１９からは外れない）。送りローラー対１９は正転駆動／逆転駆動の切り換えが可能であり、駆動方向の切換により、記録用紙はこれまで用紙後端として送られてきた側が先端となって、第２の方向（図４において右方向）に送られ、即ちスイッチバックし、そして矢印Ｂ５で示す方向に送られ、再び送りローラー対１１へと到達する。尚、第３搬送部４７の搬送経路長（スイッチバックトレイ３２の端部（図４左側端部）から送りローラー対１９までの距離）は、使用が想定される最大サイズの用紙長さより長く設定されている。即ち最大サイズの用紙であっても、送りローラー対１９によりニップされつつ、スイッチバックトレイ３２によって用紙全域が支持される。
【００４２】
ここで、第３搬送部４７から搬送（スイッチバック）される記録用紙の搬送経路は、媒体収容部としての用紙カセット７から第１搬送部４５に至る用紙搬送経路に合流する。即ち、用紙搬送経路が共用されるので、装置の大型化が抑制される。  
そして記録部４に再度到達した記録用紙は、第１面（おもて面）が下となり、第２面（うら面）が上となって、当該第２面への記録が実行される。
【００４３】
尚、第１方向反転部３０において湾曲反転経路の外側に設けられるローラーと、第１方向反転部３０と第２の方向反転部３１との間における用紙搬送経路の下側に配置されるローラーと、第２方向反転部３１において湾曲反転経路の内側に配置されるローラーと、のこれらローラー（符号２４で示す）は、全て記録用紙の記録面と点接触する拍車である。
【００４４】
即ち、既記録面と接するローラーが、全て拍車で構成されているので、インクの転着などの、記録面に生じる不具合発生の虞を低くすることができる。
【００４５】
そして本実施形態に係るインクジェットプリンター１において、第２方向反転部３１の搬送経路最上部が、第１方向反転部３０の中心位置以上に位置している。図４において線Ｌ１は、第１方向反転部３０の高さ方向中心位置（より具体的には反転ローラー２９の回転軸中心位置）を通る水平線を示しており、図示する様に第２方向反転部３１の搬送経路最上部（送りローラー対１７の位置）を、ちょうど線Ｌ１が横切る様な位置関係となっている。
【００４６】
即ち、第１方向反転部３０と第２方向反転部３１とが装置高さ方向において大きくオーバーラップしているので、装置高さ方向を抑えてより小型化された装置を提供することが可能となる。
【００４７】
また、本実施形態に係るインクジェットプリンター１においては、第２方向反転部３１を通過した記録用紙はスイッチバックする。そのスイッチバックの為の経路、具体的にはスイッチバックトレイ３２は、用紙搬送経路を側視した際に第１方向反転部３０における湾曲の開始位置と終了位置とを結ぶ線Ｌ２の延長線と交差する。即ち、スイッチバックトレイ３２は水平方向において第１方向反転部３０と充分に大きくオーバーラップするので、装置の水平方向寸法を抑えてより小型化された装置を提供することが可能となる。
【００４８】
以上説明した実施形態は一例であり、本発明は上記実施形態に限定されない。例えば、上記実施形態において第１の方向とは、装置周囲を構成する側面のうち装置前面である第１面１ａから装置背面である第２面１ｂに向かう方向であるが、その逆であっても良いし、或いは装置左面から装置右面へ向かう方向（図１においては紙面裏側から表側に向かう方向）であっても良いし、或いはその逆方向であっても良い。
【００４９】
また、第１方向反転部３０と第２方向反転部の高さ方向におけるオーバーラップ量は、適宜調整することができる。本実施形態では、直線Ｌ１（図４）は第１方向反転部３０の中心位置を通る水平線であるが、第２方向反転部３１の搬送経路最上部が更に直線Ｌ１の上側に位置する様に構成しても良い。
【００５０】
また、図５に示す様な構成とすることもできる。図５において直線Ｌ３は、第１方向反転部３０の搬送経路最下部を通る水平線を示しており、符号４７Ｂで示す第３搬送部は、直線Ｌ３より上側、即ち第１方向反転部３０の搬送経路最下部より上方に位置している。尚、第２方向反転部３１Ｂも直線Ｌ３より上方に位置している。  
この様な実施態様によれば、第１方向反転部３０と第３搬送部４７Ｂとが装置高さ方向においてオーバーラップすることで、装置高さ方向寸法をより抑えることができる。
【００５１】
また、図６に示す様な構成とすることもできる。図６において直線Ｌ３は、図５に示したのと同様に第１方向反転部３０の搬送経路最下部を通る水平線を示しており、符号４７Ｃで示す第３搬送部４７Ｃは、一部が直線Ｌ３より上方に位置し、他の一部が、段差４８の存在によって直線Ｌ３より下方に位置する。
【００５２】
この様な構成により、第３搬送部４７Ｃにおいて第１方向反転部３０の搬送経路最下部（直線Ｌ３）より上方に位置する部分（図６において段差４８より右側部分）は装置高さ方向寸法を節約できる為、当該節約した領域に他の構成要素をレイアウトすることができる。そして、他の部分（図６において段差４８より左側部分）が第１方向反転部３０の搬送経路最下部（直線Ｌ３）より下方に位置するので、搬送経路長を確保することができ、長さの長い記録用紙に対応することができる。
【００５３】
また、上記実施形態では本発明をインクジェットプリンターに適用したが、これに限らず、感光体を用いた所謂ページプリンターや複写機などに適用することもできる。即ち、記録方式に拘わらず、媒体を搬送する記録装置、特に媒体の両面に記録を行う記録装置であれば、本発明が適用可能である。
【符号の説明】
【００５４】
１  インクジェットプリンター、２  用紙給送部、３  用紙反転待機部、４  記録部、５  用紙排出部、６  ベルト搬送部、７  用紙カセット、８  昇降板、９  給送ローラー、１０〜２２  送りローラー対、２４  拍車、２７  第１経路切換部材、２８  第２経路切換部材、２９  反転ローラー、３０  第１方向反転部、３１  第２方向反転部、３２  スイッチバックトレイ、３４、３５  ベルトプーリー、３６  搬送ベルト、３７  インクジェット記録ヘッド、３９〜４１  経路形成部材、４５  第１搬送部、４６  第２搬送部、４７  第３搬送部
【図１】
2014152028.tif 000003
【図２】
2014152028.tif 000004
【図３】
2014152028.tif 000005
【図４】
2014152028.tif 000006
【図５】
2014152028.tif 000007
【図６】
2014152028.tif 000008